(57)【特許請求の範囲】
【請求項１】
基板と、
撮像面を有し、前記基板の一方主面に固定された撮像素子と、
前記撮像面を外部に臨ませる開口部を有し、その開口部を通じて前記撮像面を外部に臨ませた状態で前記撮像素子を覆うシールド部材と、
を備え、
前記シールド部材は、
前記基板の一方主面側で前記撮像素子を覆ううつわ状に形成され、前記開口部が形成されたシールド本体部を備えると共に、
前記シールド本体部の周縁部より延設され、前記基板の外周縁部に当接して前記基板を前記撮像素子の撮像面の方向に沿って一定位置で保持する複数の位置決保持片を有する、シールド部材の取付部構造。
【請求項２】
請求項１記載のシールド部材の取付部構造であって、
前記シールド部材の前記シールド本体部及び前記複数の位置決保持片は、導電性板材をプレス加工することにより形成されている、シールド部材の取付部構造。
【請求項３】
請求項１又は請求項２記載のシールド部材の取付部構造であって、
前記シールド部材は、
少なくとも一つの前記位置決保持片が前記基板の周縁部に当接する部分に対して、前記基板の一方主面側部分及び他方主面側部分のうちの少なくとも一方側の部分で前記当接する部分よりも凹む形状に形成されている、シールド部材の取付部構造。
【請求項４】
請求項１〜請求項３のいずれかに記載のシールド部材の取付部構造であって、
前記位置決保持片のうち少なくとも一つは、前記基板が前記シールド本体部内へ移動するのを規制する位置規制段部を有する、シールド部材の取付部構造。
【請求項５】
請求項１〜請求項４のいずれかに記載のシールド部材の取付部構造であって、
前記開口部の周縁部は、外側に曲げられた曲げ片を有する、シールド部材の取付部構造。
【請求項６】
基板に固定された撮像素子を覆うと共に、前記撮像素子の撮像面を外部に臨ませる開口部を有するシールド本体部と、
前記シールド本体部の周縁部より延設され、前記基板の外周縁部に当接して前記基板を前記撮像素子の撮像面の方向に沿って一定位置で保持する複数の位置決保持片と、
を備えたシールド部材。
【請求項７】
基板と、
撮像面を有し、前記基板の一方主面に固定された撮像素子と、
前記撮像面を外部に臨ませる開口部を有し、その開口部を通じて前記撮像面を外部に臨ませた状態で前記撮像素子を覆うシールド部材と、
外部光を前記撮像素子に向けて導く光学系と、
前記光学系を保持するホルダ部を有し、前記撮像素子を前記光学系に対して所定の位置関係に配設した状態で、前記基板と前記撮像素子と前記シールド部材とを収容保持するケースと、
を備え、
前記シールド部材は、
前記基板の一方主面側で前記撮像素子を覆ううつわ状に形成され、前記開口部が形成されたシールド本体部を備えると共に、
前記シールド本体部の周縁部より延設され、前記基板の外周縁部に当接して前記基板を前記撮像素子の撮像面の方向に沿って一定位置で保持する複数の位置決保持片を有する、カメラ装置。
【請求項８】
請求項７記載のカメラ装置の製造方法であって、
前記基板を前記基板保持手段で保持させるようにして、前記シールド部材に仮保持する工程と、
前記基板及びそれに仮に保持された前記シールド部材を、前記ケース内に収容配置する工程と、
前記撮像素子が前記ホルダに保持された前記光学系に対して前記所定の位置関係で配設されるように、前記基板を前記シールド部材と共に移動させて位置調整する工程と、
前記位置調整された状態で、前記基板及び前記シールド部材を前記ケースに本固定する工程と、
を備えたカメラ装置の製造方法。
【発明の詳細な説明】
【技術分野】
【０００１】
この発明は、撮像素子及び基板を覆うようにシールド部材を取付けるための技術に関する。
【背景技術】
【０００２】
ＣＣＤ等の撮像素子を用いたカメラ装置では、外部から内部への又は内部から外部への電磁ノイズ対策を図る必要がある。かかるノイズ対策として、撮像素子を覆うようにシールド部材を配設した構成のものがある。
【０００３】
シールド部材で撮像素子を覆うようにして固定する構成として、図１２に示す構成が提案されている。
【０００４】
図１２では、基板１００の一主面に撮像素子１０２が実装固定されている。また、この基板１００の一主面側で撮像素子１０２を覆うようにして略筺状のシールド部材１０４が配設されている。このシールド部材１０４には、撮像素子１０２の撮像面１０２ａを外部に臨ませるための開口部１０４ｈが形成されている。なお、撮像素子１０２の撮像面１０２ａには、光学フィルタ１０３ａ，１０３ｂが設けられている。
【０００５】
また、これら基板１００及び撮像素子１０２を収容するケース１１０の内部に、ねじ止用のボス部１１２が立設されている。上記ケース１１０の前部には、レンズ１１４を保持するためのレンズホルダ１１１が突出形成されており、このレンズホルダ１１１内にレンズ１１４が収容固定される。
【０００６】
本構成において、ケース１１０に対する基板１００及び撮像素子１０２、シールド部材１０４の組付は次のようにしてなされる。
【０００７】
すなわち、基板１００のコーナー部分及びシールド部材１０４の取付片１０４Ｐを、ボス部１１２上で重ね合せるようにして、基板１００及びシールド部材１０４をケース１１０内に収容配置する。そして、基板１００をレンズ１１４の光軸に対して略直交する方向に移動させて、撮像素子１０２とレンズ１１４との位置調整を行う。この後、図示省略のネジを基板１００のコーナー部分及びシールド部材１０４の取付片１０４Ｐに貫通させてボス部１１２に螺合締結して、基板１００及びシールド部材１０４をケース１１０内の一定位置に固定する。
【発明の開示】
【発明が解決しようとする課題】
【０００８】
しかしながら、上述したようなシールド部材１０４の取付構造では、基板１００及びシールド部材１０４をケース１１０に取付固定する前の状態で、シールド部材１０４に対して撮像素子１０２が移動可能な状態となっている。このため、撮像素子１０２の位置調整を行う際等に、撮像素子１０２の上部にある撮像面１０２ａや光学フィルタ１０３ａ，１０３ｂが開口部１０４ｈに当接してしまい、傷の付着や破損等を招いてしまう恐れがある。
【０００９】
特に、小型化を図るため、シールド部材１０４の開口部１０４ｈを撮像素子１０２の上部近傍位置に設定すると、その恐れが生じ易い。
【００１０】
そこで、本発明は、撮像素子とシールド部材との接触によって撮像素子が傷付いてしまったり、破損したりすることを防止することを目的とする。
【課題を解決するための手段】
【００１１】
この発明に係るシールド部材の取付部構造は、基板と、撮像面を有し、前記基板の一方主面に固定された撮像素子と、前記撮像面を外部に臨ませる開口部を有し、その開口部を通じて前記撮像面を外部に臨ませた状態で前記撮像素子を覆うシールド部材と、を備え、前記シールド部材は、前記基板の一方主面側で前記撮像素子を覆ううつわ状に形成され、前記開口部が形成されたシールド本体部を備えると共に、前記シールド本体部の周縁部より延設され、前記基板の外周縁部に当接して前記基板を前記撮像素子の撮像面の方向に沿って一定位置で保持する複数の位置決保持片を有するものである。
【００１２】
この場合、前記シールド部材は、前記シールド部材の前記シールド本体部及び前記複数の位置決保持片は、導電性板材をプレス加工することにより形成されていてもよい。
【００１３】
また、前記シールド部材は、少なくとも一つの前記位置決保持片が前記基板の周縁部に当接する部分に対して、前記基板の一方主面側部分及び他方主面側部分のうちの少なくとも一方側の部分で前記当接する部分よりも凹む形状に形成されていてもよい。
【００１４】
さらに、前記位置決保持片のうち少なくとも一つは、前記基板が前記シールド本体部内へ移動するのを規制する位置規制段部を有していてもよい。
【００１５】
また、前記開口部の周縁部は、外側に曲げられた曲げ片を有していてもよい。
【００１６】
また、この発明に係るシールド部材は、基板に固定された撮像素子を覆うと共に、前記撮像素子の撮像面を外部に臨ませる開口部を有するシールド本体部と、前記シールド本体部の周縁部より延設され、前記基板の外周縁部に当接して前記基板を前記撮像素子の撮像面の方向に沿って一定位置で保持する複数の位置決保持片とを備えたものである。
【００１７】
また、この発明に係るカメラ装置は、基板と、撮像面を有し、前記基板の一方主面に固定された撮像素子と、前記撮像面を外部に臨ませる開口部を有し、その開口部を通じて前記撮像面を外部に臨ませた状態で前記撮像素子を覆うシールド部材と、外部光を前記撮像素子に向けて導く光学系と、前記光学系を保持するホルダ部を有し、前記撮像素子を前記光学系に対して所定の位置関係に配設した状態で、前記基板と前記撮像素子と前記シールド部材とを収容保持するケースと、を備え、前記シールド部材は、前記基板の一方主面側で前記撮像素子を覆ううつわ状に形成され、前記開口部が形成されたシールド本体部を備えると共に、前記シールド本体部の周縁部より延設され、前記基板の外周縁部に当接して前記基板を前記撮像素子の撮像面の方向に沿って一定位置で保持する複数の位置決保持片を有するものである。
【００１８】
さらに、この発明に係るカメラ装置の製造方法は、前記基板を前記基板保持手段で保持させるようにして、前記シールド部材に仮保持する工程と、前記基板及びそれに仮に保持された前記シールド部材を、前記ケース内に収容配置する工程と、前記撮像素子が前記ホルダに保持された前記光学系に対して前記所定の位置関係で配設されるように、前記基板を前記シールド部材と共に移動させて位置調整する工程と、前記位置調整された状態で、前記基板及び前記シールド部材を前記ケースに本固定する工程と、を備えたものである。
【発明の効果】
【００１９】
この発明のシールド部材の取付部構造によると、シールド部材は、少なくとも前記撮像素子の撮像面の方向に沿って前記基板を一定位置で保持する基板保持手段を有しているため、基板及びそれに固定された撮像素子が、シールド部材に対して少なくとも撮像面の方向に沿って一定位置に保持される。従って、撮像素子が開口部の周縁部に当接し難くなり、撮像素子とシールド部材との接触によって、撮像素子が傷付いたり破損したりすることを有効に防止できる。
【００２０】
また、前記シールド部材は、前記基板の一方主面側で前記撮像素子を覆ううつわ状のシールド本体部を備えると共に、前記基板保持手段として、前記シールド本体部の周縁部より延設され、前記基板の外周縁部に当接して前記基板を前記撮像素子の撮像面の方向に沿って一定位置で保持する複数の位置決保持片を有すると、基板の周縁部を位置決保持片に当接させることで、基板を撮像素子の撮像面の方向に沿って一定位置で保持できる。
【００２１】
さらに、前記シールド部材は、少なくとも一つの前記位置決保持片が前記基板の周縁部に当接する部分に対して、前記基板の一方主面側部分及び他方主面側部分のうちの少なくとも一方側の部分で前記当接する部分よりも凹む形状に形成されていると、基板に実装された部品とシールド部材との干渉を有効に防止できる。
【００２２】
また、前記位置決保持片のうち少なくとも一つは、前記基板が前記シールド本体部内へ移動するのを規制する位置規制段部を有すると、基板がシールド本体部内に入り込むのを規制して、シールド部材と基板とをより一定の姿勢に保つことができる。
【００２３】
前記開口部の周縁部は、外側に曲げられた曲げ片を有していると、前記開口部の周縁部をなだらかな曲面に仕上げることができる。従って、仮に撮像素子と開口部の周縁部とが当接しても、撮像素子が傷付いたり、破損したりすることをより有効に防止できる。
【００２４】
この発明のシールド部材によると、シールド部材は、少なくとも前記撮像素子の撮像面の方向に沿って前記基板を一定位置で保持する基板保持手段を有しているため、基板及びそれに固定された撮像素子が、シールド部材に対して少なくとも撮像面の方向に沿って一定位置に保持される。従って、撮像素子が開口部の周縁部に当接し難くなり、撮像素子とシールド部材との接触によって、撮像素子が傷付いたり、破損したりすることを有効に防止できる。
【００２５】
また、この発明のカメラ装置によると、シールド部材は、少なくとも前記撮像素子の撮像面の方向に沿って前記基板を一定位置で保持する基板保持手段を有しているため、例えば、撮像素子を光学系に対して所定の位置関係に配設されるように、撮像素子の位置を調整する場合でも、基板及びそれに固定された撮像素子が、シールド部材に対して少なくとも撮像面の方向に沿って一定位置に保持される。従って、撮像素子とシールド部材との接触によって、撮像素子に傷の付着や破損を生じることを有効に防止できる。
【００２６】
また、この発明に係るカメラ装置の製造方法によると、前記基板を前記基板保持手段で保持させるようにして、前記シールド部材に仮保持する工程と、前記基板及びそれに仮に保持された前記シールド部材を、前記ケース内に収容配置する工程と、前記撮像素子が前記ホルダに保持された前記光学系に対して前記所定の位置関係で配設されるように、前記基板を前記シールド部材と共に移動させて位置調整する工程と、前記位置調整された状態で、前記基板及び前記シールド部材を前記ケースに本固定する工程とを備えているため、撮像素子が開口部の周縁部に当接し難くなり、撮像素子とシールド部材との接触によって、撮像素子が傷付いたり、破損したりすることを有効に防止できる。
【発明を実施するための最良の形態】
【００２７】
以下、この発明に係るシールド部材及びその取付部構造が適用されたカメラ装置について説明する。
【００２８】
図１はカメラ装置を示す分解斜視図であり、図２は同カメラ装置のシールド部材、基板及びフロントケース部分を示す分解斜視図である。
【００２９】
このカメラ装置は、車両に設置されて車両の周辺景色を撮像するものであり、より具体的には、車両の前部に設置されて車両の左右両側方景色を撮像するものである。このカメラ装置による撮像画像は、例えば、車両内に設置された液晶表示装置等に映し出され、車室内において車両周辺の死角となる景色を監視するといった用途に供される。勿論、本発明は、車両用のカメラ装置に限らず、撮像素子にて撮像を行う電子カメラ一般に適用され得る。
【００３０】
このカメラ装置の基本的構成について説明すると、基板ユニット１０と、撮像素子２０と、撮像素子２０を覆うシールド部材３０と、外部光を撮像素子２０に向けて導く光学系４０と、これら基板ユニット１０、撮像素子２０及びシールド部材３０を内部に収容配置すると共に光学系４０を保持するケース５０とを備えている。なお、説明の便宜上、光学系４０の像側を前、撮像素子２０側を後ろとする。
【００３１】
基板ユニット１０は、積層状に設けられた主基板１２と副基板１４とを備えている。主基板１２の一方主面（前面）の略中央部には、撮像素子２０が実装固定されている。また、各基板１２，１４に、所定の回路パターンが形成されると共に半導体チップ等の電子部品が実装されて、撮像素子２０の駆動回路や制御回路、電源回路等が形成されている。
【００３２】
なお、主基板１２には、基板ユニット１０固定用のネジ挿通孔１２ｈが形成されている。ここでは、主基板１２において対向する２つのコーナー部にネジ挿通孔１２ｈが形成されている。
【００３３】
撮像素子２０としては、ＣＣＤ等が用いられ、上記主基板１２の一方主面に実装固定された状態で、その撮像面２１を主基板１２に沿って略平行に配設して前方（光学系４０側）に向けた姿勢とされている。また、この撮像素子２０は、その撮像面２１上に、ローバスフィルタやＩＲカットフィルタ等の光学フィルタ２２を備えている。
【００３４】
シールド部材３０は、上記主基板１２の一方主面側で、撮像素子２０を覆う部材であり、撮像面２１に対応する開口部３２ｈを有している。そして、シールド部材３０が撮像素子２０を覆うようにして両者が取付固定された状態で、撮像面２１が開口部３２ｈを通じて外部に臨むようになっている。
【００３５】
ケース５０は、後側ケース５２と前側ケース５４とを備えており、後側ケース５２及び前側ケース５４はそれぞれ略筺状の収容空間を有している。そして、それらの間にパッキン等を介在させた状態で、後側ケース５２及び前側ケース５４がねじＳ１により合体固定される。
【００３６】
また、前側ケース５４の内部には、基板ユニット１０及びシールド部材３０を固定するためのボス部５４ａが形成されている。ここでは、前側ケース５４の内部空間において対向する２つのコーナー部に、２つのボス部５４ａが形成されている。各ボス部５４ａには、ネジ螺合穴５４ａｈが形成されている。
【００３７】
上記基板ユニット１０、撮像素子２０及びシールド部材３０は、前側ケース５４に固定された状態で、後側ケース５２と前側ケース５４との間の収容空間に収容保持される。なお、基板ユニット１０から延出する外部への配線は、例えば、後側ケース５２を貫通して外部に引出される。
【００３８】
また、前側ケース５４の前面側には、光学系４０を保持する略筒状のホルダ部５５が設けられている。上記撮像素子２０は、ケース５０内でホルダ部５５内の開口に臨むように配設される。
【００３９】
光学系４０は、単数又は複数のレンズにより構成されており、撮像を望む範囲等に応じて所望の光学的特性、例えば、広角な範囲からの光を撮像面２１に結合させる特性を有している。この光学系４０は、ホルダ部５５内にその前方より挿入されてその内部の一定位置で固定される。
【００４０】
そして、上記撮像素子２０は、光学系４０に対して所定の位置関係となるように配設されて、該光学系４０を通じて所定範囲の外部景色を撮像するようになっている。
【００４１】
なお、光学系４０としては、レンズの他、反射鏡やプリズム等を含む場合がある得る。また、光学系４０に対する撮像素子２０の所定の位置関係は、光学系の中心軸と撮像素子２０の撮像面２１の中心軸とが一致する及び両者を所定方向に所定量ずらした位置関係等、撮像範囲に応じて任意に設定され得る。
【００４２】
シールド部材３０についてより詳細に説明する。図３はシールド部材を示す底面図であり、図４はシールド部材を一側面方向（図３の上方向から）から見た側面図であり、図５はシールド部材を他の側面方向（図３の右方向）から見た側面図であり、図６は図３のＶＩ−ＶＩ線断面図であり、図７は図３のＶＩＩ−ＶＩＩ線断面図である。
【００４３】
図１〜図７に示すように、シールド部材３０は、導電性部材により形成されている。ここでは、ＳＵＳ合金等の導電性板材をプレス加工等することで形成されている。
【００４４】
シールド部材３０は、シールド本体部３２と、位置決保持片３６，３７，３８，３９とを備えている。
【００４５】
シールド本体部３２は、主基板１２の一方主面側で撮像素子２０を覆ううつわ状に形成されている。ここでは、シールド本体部３２は、一方が開口する略直方体筺状に形成されている。そして、シールド本体部３２の開口部分に該開口部を閉塞するように主基板１２が配設されて、シールド本体部３２内に撮像素子２０が収容されるようになっている。
【００４６】
より具体的には、シールド本体部３２は、略方形状の主板３２ａと、この主板３２ａの４辺それぞれに該主板３２ａに対して略垂直に延びる側板３２ｂとを有している。
【００４７】
主板３２ａには、撮像面２１に対応する開口部３２ｈが形成されている。この開口部３２ｈは、撮像素子２０の上部にある光学フィルタ２２を収容可能な大きさ及び形状に形成されている。
【００４８】
また、主板３２ａにおける開口部３２ｈの周縁４辺から外方に曲げるようにして曲げ片３２ｈｐが延設されている。これにより、開口部３２ｈの周縁部が曲げ片３２ｈｐの曲げ部分外周側の曲面で構成されるように構成されている。
【００４９】
また、各側板３２ｂは、主板３２ａの各辺よりも幅狭に形成されている。シールド本体部３２において対向する２つのコーナー部分では、隣合う側板３２ｂ同士が斜板３２ｃを介して連結されている。
【００５０】
また、シールド本体部３２において対向する他の２つのコーナー部分には、２つの取付片３３が設けられている。各取付片３３は、各側板３２ｂの側辺から延びる支持片により主板３２ａから所定距離離れた位置で該主板３２ａと略平行姿勢でシールド本体部３２内に延出するように配設されている。そして、シールド本体部３２の後側開口部に、主基板１２が配設された状態で、各取付片３３及び後述する位置規制段部３７ａが主基板１２の一方主面に当接し、主基板１２を開口部３２ｈ後方の一定位置に保つようになっている。また、この状態では、撮像素子２０の上部である光学フィルタ２２の前面部分周縁部を囲む位置に開口部３２ｈが配設されるようになっている。これにより、シールド本体部３２の高さ寸法を、撮像素子２０の高さ寸法に合わせて最小限度の大きさに設定することができ、シールド部材３０の小型化、ひいてはカメラ装置自体の小型化に貢献する。
【００５１】
また、各取付片３３には、ネジ挿通孔３３ｈが形成されている。そして、主基板１２のネジ挿通孔１２ｈと本ネジ挿通孔３３ｈとを重ね合せるように配設した状態で、主基板１２のコーナー部分と取付片３３とが、ボス部５４ａ上に重合状に配設されるようになっている。
【００５２】
位置決保持片３６，３７，３８，３９は、少なくとも撮像素子２０の撮像面２１の方向に沿って主基板１２を一定位置で保持する基板保持手段として機能する部材である。
【００５３】
各位置決保持片３６，３７，３８，３９は、シールド本体部３２の周縁部である各側板３２ｂから後方に延設される板状部材である。各位置決保持片３６，３７，３８，３９は、主基板１２の外周縁部に当接して、主基板１２を撮像面２１の方向に沿って一定位置で保持するように構成されている。
【００５４】
ここでは、対向する位置決保持片３６，３８の基端側部分（即ち、各取付片３３の後側部分）間と、対向する位置決保持片３７，３９の基端側部分（即ち、各取付片３３の後側部分）間とが、それぞれ主基板１２の縦寸法又は横寸法と略同一間隔寸法に形成されている。そして、主基板１２の一方主面を取付片３３に当接させるように配設した状態で、主基板１２の周囲四辺が各位置決保持片３６，３７，３８，３９の基端側部分内面に当接して、その主基板１２の一方主面方向への移動を規制するようになっている。
【００５５】
また、このシールド部材３０では、２つの対向する位置決保持片３６，３８が主基板１２に当接する部分３６ａ，３８ａに対して、主基板１２の一方主面側の部分３６ｂ，３８ｂで、前記当接する部分３６ａ，３８ａよりも凹む形状に形成されている（図６参照）。これにより、シールド部材３０の内部で、主基板１２の一方主面側の空間が前記凹み形状分広がり、主基板１２に実装された諸電子部品が、シールド部材３０の側板３２ｂに干渉するのを防止するようにしている。
【００５６】
なお、本シールド部材３０では、２つの位置決保持片３６，３８に関して上記凹み形状を形成したが、位置決保持片３６，３７，３８，３９のうち少なくとも一つに関して上記凹み形状を形成するようにしてもよい。また、上記当接する部分３６ａ，３８ａよりも主基板１２の他方主面側の部分が上記凹み形状に形成されていてもよい。
【００５７】
さらに、位置決保持片３７は、主基板１２がシールド本体部３２内に移動するのを規制する位置規制段部３７ａを有している（図７参照）。より具体的には、位置決保持片３７は、段違い状にその基端側の側板３２ｂよりも外方に広がっており、位置決保持片３７と側板３２ｂとの間に位置規制段部３７ａが形成されている。位置規制段部３７ａは、シールド部材３０の後方に面する受面３７ｂを有しており、この受面３７ｂは、取付片３３の受面と略同一平面上に配設されている。そして、各取付片３３と位置規制段部３７ａとが、主基板１２の一方主面周縁部に当接して、主基板１２がシールド本体部３２内に移動するのを規制するようになっている。
【００５８】
なお、位置規制段部３７ａは、線状に延びる突部により構成されていてもよく、また、他の位置決保持片３６，３８，３９に形成されていてもよい。
【００５９】
また、各位置決保持片３６，３７，３８，３９の先端部は、外方に拡開するように曲げられている。これにより、主基板１２を各位置決保持片３６，３７，３８，３９間に容易に配設できるようになっている。
【００６０】
このように構成されたカメラ装置の製造方法について説明する。
【００６１】
まず、図８に示すように、前側ケース５４，シールド部材３０及び基板ユニット１０を準備する。
【００６２】
そして、図９に示すように、主基板１２の一方主面を各取付片３３と位置規制段部３７ａに当接させると共に、主基板１２の周囲４辺を各位置決保持片３６，３７，３８，３９の基端部内面に当接させるようにして、撮像素子２０をシールド部材３０のシールド本体部３２内に収容する。これにより、主基板１２が撮像面２１の方向に関して一定位置に保持されると共に、主基板１２がシールド本体部３２内に移動するのを規制された状態で、基板ユニット１０がシールド部材３０に仮保持される。なお、この状態で、撮像面２１や光学フィルタ２２に対する傷の有無等を目視で確認できる。
【００６３】
この際、位置決保持片３６，３７，３８，３９が主基板１２の周囲４辺に当接するため、シールド部材３０に対して撮像素子２０が撮像面２１の方向において一定の位置関係に配設される。従って、撮像素子２０の上部にある撮像面２１や光学フィルタ２２が正確に開口部３２ｈの対応領域に配設され、撮像面２１や光学フィルタ２２が開口部３２ｈの周縁部に当接し難い。また、開口部３２ｈの周縁部には曲げ片３２ｈｐが形成されているため、仮に撮像面２１や光学フィルタ２２が開口部３２ｈの周縁部に当接しても、曲げ片３２ｈｐによる湾曲面に当接することになり、撮像面２１や光学フィルタ２２が傷付き難い。
【００６４】
次に、図１０に示すように、２つの取付片３３及び主基板１２の２つのコーナー部分をそれぞれボス部５４ａ上に重ね合せるようにして、シールド部材３０及び基板ユニット１０を前側ケース５４の収容凹部内に収容配置する。そして、基板ユニット１０を撮像面２１の方向に沿って移動させて、撮像素子２０が光学系４０に対して所定の位置関係で配設されるように、位置調整を行う。なお、これより前の工程で、光学系４０はホルダ部５５内に固定されている。
【００６５】
上記位置調整を行う際、シールド部材３０に対して主基板１２が撮像面２１の方向において一定の位置で保持されているため、シールド部材３０も基板ユニット１０と共に移動する。このため、撮像素子２０の上部にある撮像面２１や光学フィルタ２２と開口部３２ｈとの相対的な位置関係がずれ難く、撮像面２１や光学フィルタ２２が開口部３２ｈに当接し難い。
【００６６】
そして、上記位置調整を行った後、図１１に示すように、ネジＳ２を、主基板１２のネジ挿通孔１２ｈ及び各取付片３３のネジ挿通孔３３ｈに挿通させて、ボス部５４ａにネジ孔に螺合締結する。これにより、基板ユニット１０及びシールド部材３０が前側ケース５４に取付固定される。
【００６７】
この後、ネジＳ１により、前側ケース５４と後側ケース５２とが合体固定される。これにより、カメラ装置の製造が完了する。
【００６８】
以上のように構成されたカメラ装置によると、シールド部材３０は、少なくとも撮像素子２０の撮像面２１の方向に沿って主基板１２を一定位置で保持する基板保持手段としての位置決保持片３６，３７，３８，３９を有しているため、主基板１２及びそれに固定された撮像素子２０が、シールド部材３０に対して少なくとも撮像面２１の方向に沿って一定位置に保持される。従って、撮像素子２０をシールド部材３０に組付ける際や撮像素子２０の位置調整を行う際等に、撮像素子２０が開口部３２ｈの周縁部に当接し難くなる。これにより、撮像素子２０とシールド部材３０との接触によって、撮像素子２０、特に、撮像素子２０上部の撮像面２１や光学フィルタ２２が傷付いたり破損したりすることを有効に防止できる。
【００６９】
なお、本実施形態では、４つの位置決保持片３６，３７，３８，３９を、略方形状の主基板１２の周囲４方に当接させて該主基板１２の位置決めを図る構成としたが、必ずしもその必要はない。例えば、断面略Ｌ字状の位置決保持片を、基板１２のうちの対向するコーナー部に当接させて、該基板１２の位置決めを図るようにしてもよい。
【００７０】
また、シールド部材３０は、位置決保持片３６，３８が主基板１２の周縁部に当接する部分３６ａ，３８ａに対して、主基板１２の一方主面側部分で前記当接する部分３６ａ，３８ａよりも凹む形状部分３６ｂ，３８ｂに形成されているため、主基板１２に実装された部品とシールド部材３０との干渉を有効に防止できる。
【００７１】
さらに、位置決保持片３７は、主基板１２がシールド本体部３２内へ移動するのを規制する位置規制段部３７ａを有しているため、主基板１２がシールド本体部３２内に入り込むのを有効に規制して、シールド部材３０と主基板１２とをより一定の位置関係に保つことができる。
【００７２】
特に、本実施形態では、主基板１２の２つのコーナー部を支えるべく２つの取付片３３を設けているところ、２つの取付片３３で主基板１２を２点支持しただけの構成では、主基板１２が斜めに傾いてしまう恐れがある。そこで、上記位置規制段部３７ａによる支持をもあわせて、少なくとも３箇所で支持することで、主基板１２を安定して支持できる。
【００７３】
さらに、開口部３２ｈの周縁部は、外側に曲げられた曲げ片３２ｈｐを有しているため、開口部３２ｈの周縁部を曲げ片３２ｈｐの湾曲面によって構成できる。従って、仮に、仮に撮像素子２０の上部にある撮像面２１や光学フィルタ２２が開口部３２ｈの周縁部に当接しても、それらが傷付いたり、破損したりすることをより有効に防止できる。
【００７４】
また、この曲げ片３２ｈｐは、開口部３２ｈの周縁部から外側に延出しているため、撮像面２１上方の領域四方を導電性部材で覆うことができ、より優れたシールド性能を得ることができる。
【図面の簡単な説明】
【００７５】
【図１】実施形態に係るカメラ装置を示す分解斜視図である。
【図２】同上のカメラ装置のシールド部材、基板及びフロントケース部分を示す分解斜視図である。
【図３】シールド部材を示す底面図である。
【図４】シールド部材を一側面方向から見た側面図である。
【図５】シールド部材を他の側面方向から見た側面図である。
【図６】図３のＶＩ−ＶＩ線断面図である。
【図７】図３のＶＩＩ−ＶＩＩ線断面図である。
【図８】カメラ装置の製造工程を示す図である。
【図９】カメラ装置の製造工程を示す図である。
【図１０】カメラ装置の製造工程を示す図である。
【図１１】カメラ装置の製造工程を示す図である。
【図１２】背景技術に係るカメラ装置を示す図である。
【符号の説明】
【００７６】
１０  基板ユニット
１２  主基板
１２ｈ  ネジ挿通孔
２０  撮像素子
２１  撮像面
２２  光学フィルタ
３０  シールド部材
３２ｈ  開口部
３２ｈｐ  曲げ片
３３  取付片
３６，３７，３８，３９  位置決保持片
３６ａ，３８ａ  当接する部分
３６ｂ，３８ｂ  凹む形状部分
３７ａ  位置規制段部
４０  光学系
５０  ケース
５４  前側ケース
【図１】
0004601542.tif 000002
【図２】
0004601542.tif 000003
【図３】
0004601542.tif 000004
【図４】
0004601542.tif 000005
【図５】
0004601542.tif 000006
【図６】
0004601542.tif 000007
【図７】
0004601542.tif 000008
【図８】
0004601542.tif 000009
【図９】
0004601542.tif 000010
【図１０】
0004601542.tif 000011
【図１１】
0004601542.tif 000012
【図１２】
0004601542.tif 000013